(57)【特許請求の範囲】
【請求項１】
座部の両側に設けた左右の側板の前後方向の中間の上部に第１のリンク連結杆の下端部を枢着し、第１のリンク連結杆の上端に、裏面側が机の天板となる背板の上部を起倒回動可能に枢着し、背板の中間部に、第２のリンク連結杆の上端部を枢着し、第２のリンク連結杆の下端部を、フレーム本体の後部の側面に設けた上下方向の溝部に摺動及び回動自在に係合するとともに、この溝部の上部に、前記第２のリンク連結杆の下端部を解除可能に係止する手段を設け、前記背板を、背板としての本来の起立状態から、第１のリンク連結杆の上端と背板との枢着点を中心として、上方に回動させて机として機能するほぼ水平状態に移動可能とするとともに、前記水平状態から前記第１及び第２のリンク連結杆の下端の枢着部を中心に前方回動可能としたことを特徴とする机兼用椅子。
【請求項２】
背板が起立状態から回動して水平状態となるまでの第１リンク連結杆の後方停止位置と、前記背板が前記水平状態から前方回動した前記第１リンク連結杆の前方停止位置とに、前記第１のリンク連結杆の回動を阻止するストッパをそれぞれ配設したことを特徴とする請求項１記載の机兼用椅子。
【請求項３】
第１のリンク連結杆と第２の連結杆とを、平行リンクとしたことを特徴とする請求項１または２記載の机兼用椅子。
【請求項４】
第２のリンク連結杆の下端部付近に下端部が枢着され、かつ上端部が背板に枢着されて、背板の荷重を軽減させるように作用する弾性手段を備えたことを特徴とする請求項１〜３のいずれかに記載の机兼用椅子。
【発明の詳細な説明】
【０００１】
【発明の属する技術分野】
本発明は、劇場や講堂、その他の各種のホールに設置して使用される連結椅子等の椅子に関し、特に背板を回動操作して、ほぼ水平とすることにより、机の天板として使用することができるようにした机兼用椅子に関する。
【０００２】
【従来の技術】
従来、劇場等に設置して使用される椅子は、観劇鑑賞等に適した間隔で多数配列されるが、講演や会議等では、資料を広げたり、メモを取る場所がなく不便である。
【０００３】
このため、例えば特公昭６１−３０５６４号公報や特公平７−８７８０７号公報に開示されるように、背凭れを傾動させることにより、後席の着座者が前席の背凭れの裏面側を机として使用することができる椅子が開発されている。
【０００４】
【発明が解決しようとする課題】
上述の両従来例では、リンクの構成上、机として使用する天板が水平状態とした時に、この状態から背凭れを起立状態とするのに時間がかかるものが多く、万一の地震や建物の火災発生などで、着座者が緊急避難する場合に邪魔になる。
【０００５】
この問題の解決のため、天板を水平状態のまま、前後にスライドさせるようにしたものが、特開平５−２９４６２号公報に提案されているが、単に前後スライドさせるだけでは、机としての使用時に前方に移動して使いにくく、また緊急避難時に前方に移動したものが、その状態で係止されずに後方に戻る場合がある。そのため、前後スライドに係止装置を取り付けると、着座者が係止装置の解除に手間取り、避難が遅れるというおそれがある。
【０００６】
本発明は、このような問題点を解決するため、簡単な操作で、しかも迅速に、天板を机として使用している水平状態のまま前方に移動させることができ、緊急避難する人の邪魔になることがないようにした、安全性の高い机兼用椅子を提供することを目的としている。
【０００７】
【課題を解決するための手段】
本発明によると、上記課題は、次のようにして解決される。
(１)  座部の両側に設けた左右の側板の前後方向の中間の上部に第１のリンク連結杆の下端部を枢着し、第１のリンク連結杆の上端に、裏面側が机の天板となる背板の上部を起倒回動可能に枢着し、背板の中間部に、第２のリンク連結杆の上端部を枢着し、第２のリンク連結杆の下端部を、フレーム本体の後部の側面に設けた上下方向の溝部に摺動及び回動自在に係合するとともに、この溝部の上部に、前記第２のリンク連結杆の下端部を解除可能に係止する手段を設け、前記背板を、背板としての本来の起立状態から、第１のリンク連結杆の上端と背板との枢着点を中心として、上方に回動させて机として機能するほぼ水平状態に移動可能とするとともに、前記水平状態から前記第１及び第２のリンク連結杆の下端の枢着部を中心に前方回動可能とする。
【０００８】
(２)  上記(１)項において、背板が起立状態から回動して水平状態となるまでの第１リンク連結杆の後方停止位置と、前記背板が前記水平状態から前方回動した前記第１リンク連結杆の前方停止位置とに、前記第１のリンク連結杆の回動を阻止するストッパをそれぞれ配設する。
【０００９】
(３)  上記(１)または(２)項において、第１のリンク連結杆と第２の連結杆とを、平行リンクとする。
【００１０】
(４)  上記(１)〜(３)項のいずれかにおいて、第２のリンク連結杆の下端部付近に下端部が枢着され、かつ上端部が背板に枢着されて、背板の荷重を軽減させるように作用する弾性手段を設ける。
【００１１】
【発明の実施の形態】
図１は、本発明の机兼用椅子の一実施例の斜視図で、その座部を取り外し、左側の側板(１)を想像線により示している。また、図２〜図４は、この左側の側板を取り外した状態で示す左側からの側面図で、背凭れ(２)の一部の回動状態を示している。なお、図２〜図４において、座部(３)の取付回動機構は、本発明の範囲外のことであるので省略している。
【００１２】
図２は、本発明の机兼用椅子を椅子として使用する状態を示す。
脚部(４)に取り付けられたフレーム本体(５)は、下向きに開口するチャンネル部材(5a)の左右両端部に、後方に斜め上方に延びる支柱(5b)を固設してなるものである。
【００１３】
支柱(5b)には、長手方向、すなわちやや後傾の上下方向に長く延びる溝部(６)が穿設されている。この溝部(６)には、第２のリンク連結杆、すなわち直線状のスライドアーム(７)の下端を枢着するスライド軸(８)が、滑動自在かつ枢動自在に装架されている。
【００１４】
スライドアーム(７)の上端は、支柱(5b)を外れた上方で、ピン(９)により背板取付ブラケット(10)に枢着されている。背板取付ブラケット(10)には、背板(11)が取り付けられている。この背板(11)の裏面が、後述するように机の天板となる。背板(11)の前面には、背凭れの一部を形成する上段の背凭れマット(12a)が取り付けられている。スライドアーム(７)の上端の枢着位置は、この背板(11)の中間部、さらに詳しくは、ほぼ中央位置とされている。
【００１５】
背板取付ブラケット(10)の上端には、第１のリンク連結杆、すなわちアーム(13)の上端部が、ピン(14)により枢着されている。このアーム(13)は、おおよそＷ字形に屈曲した部材であり、その下端は、ピン(15)により、フレーム本体(５)と一体をなす側板(１)に枢着されている。図２では、この左側の側板(１)は省略して示されているが、向こう側、すなわち右側の側板(１)により、この枢着状態が分かる。
このアーム(13)の後述する回動範囲を制限するのが、支柱(5b)の頂部前面に設けられたストッパ(5c)及び側板(１)に設けられたストッパ(16)である。
【００１６】
符号(17)は、下端がスライドアーム(７)の下端の枢着点近くに枢着され、かつ上端が、スライドアーム(７)の上端の枢着点より上方において背板取付ブラケット(10)に枢着され、主として圧縮ばねとして作用するガススプリングである。場合によっては、このガススプリング(17)を、例えばコイルばねのような弾性手段と代えてもよい。
符号(18)は、背板(11)を、その起立位置に保持するマグネットキャッチである。符号(12b)は、左右のアーム(13)間に取り付けられた中段の背凭れマット、符号(12c)は、左右の支柱間に取り付けられた下段の背凭れマットである。
【００１７】
図５〜図７に拡大して示すように、フレーム本体(５)の支柱(5b)の上端付近には、溝部(６)の前方において、この溝部(６)の上端よりも若干下方に、係止片(19)がその屈曲部を軸(20)により枢着されている。
係止片(19)は、ほぼＬ字形の部材であり、その後方を向く水平片(19a)は、溝部(６)を横断して突出しており、下方を向く垂下片(19b)は、その前面を支柱(5b)に形成された係止部(5d)に当接している。
【００１８】
左右の係止片(19)(19)と一体となって回動する軸(20)の中間部（または一方の外側端）には、係止解除用の操作レバー(21)が一体的に設けられている。
【００１９】
本発明の机兼用椅子は、上述のような構成であり、常時は、図２に示すような椅子としての使用状態としてある。この状態では、背板(11)は、ピン(14)を中心として自重により回動付勢され、さらにフレーム本体(５)の支柱(5b)の後面に当接するまでやや斜めに押し付けられて、背板(11)の下端付近に取り付けたマグネットキャッチ(18)の吸着により、この位置に保持されている。アーム(13)の後部は、支柱(5b)の前面のストッパ(5c)に当接し、スライドアーム(７)の下端のスライド軸(８)は、支柱(5b)の溝部(６)の下端付近に達している。
【００２０】
この椅子としての使用状態から、後席の着座者のための机としての使用状態に変えるには、背板(11)の上部を前方に押すか、またはその下端を後方に引いて、背板(11)すなわち背凭れ(２)の一部を、アーム(13)の上端のピン(14)を中心として、図面において反時計方向に大きく回動させて、図３の状態とする。
この際、スライドアーム(７)の下端のスライド軸(８)は、このスラドアーム(７)の動きにつれて、溝部(６)内を上方に移動する。
【００２１】
図５に示すように、スライド軸(８)が溝部(６)の上端に近づくと、図６に示すように、係止片(19)の水平片(19a)をはね上げて通過し、図７に示すように、溝部(６)の上端に達してから若干戻り、水平片(19a)の上面に当接して係止させられる。
この状態では、荷重は垂下片(19b)の前面が支柱(5b)の係止部(5d)に当接することにより受けられている。このとき、背板(11)の裏面が机の天板となり、後席の着座者は、身を乗り出さずにこの机を利用できる。
【００２２】
この状態から図１に示す状態に戻すには、背板(11)の後部を持ち上げつつ、係止片(19)の軸(20)と一体的に設けた解除レバー(２)を操作して、係止片(19)の水平片(19a)を一旦上に上げ、スライド軸(８)を下方に通過させればよい。
【００２３】
図３の状態では、人の通行に邪魔となるので、この机の天板すなわち背板(11)を前方に押すと、図４に示す位置に、一動作で簡単に移動させることができる。すなわち、上端を間隔を隔てて背板取付ブラケット(10)に、下端を支柱(5b)の溝部(６)の上端及び側板(１)に枢着された第１及び第２のリンク連結杆、すなわちアーム(13)とスライドアーム(７)とからなる平行リンク機構により、背板(11)は、ほぼ水平状態を保ったままで、前方に移動する。
この際、ガススプリング(17)は、常時圧縮ばねとして、この移動を助成し、背板(11)の荷重を軽減させるように作用させてもよいが、この移動の中間点で付勢方向が反転して、背板(11)がその中間点より前方に移動したときは引張りばねとして作用し、背板(11)を上記と逆に後方に引き戻す際に抵抗とならないようにするのがよい。
図４に示す状態では、アーム(13)の前面にストッパ(16)が当接して、背板(11)は、その前方に移動した位置で安定して停止させられる。
【００２４】
背板(11)を後方に引けば、図３に示す状態に戻る。
【００２５】
なお、本発明において、背板(11)を図３に示す位置から、図４に示すような前方の位置へ移動させる必要のない場合には、背板(11)の上部を、アーム(13)を介することなく、直接フレーム本体(５)に枢着してもよい。
【００２６】
【発明の効果】
本発明によれば、背板を机の天板として使用する場合には、後方で停止している第１のリンク連結杆の上端と背板の上部との枢着点を回動中心として、背板を起立状態から回動させて水平状態に起こすと、第２のリンク連結杆の下端が、フレーム本体の溝部を下方から上方に移動し、溝部上部でその下方への移動が阻止されるよう係止されることにより、背板は水平状態で維持される。
また、この水平状態から背板を前上方に押し上げると、背板は、両リンク連結杆の下端の枢着点を中心にほぼ水平状態を保ったまま前方の緊急避難用の不使用位置まで直ちに移動させられる。
このように、簡単な操作で、しかも迅速に、背板を机として使用している水平状態のまま前方に移動させることができるので、万一の地震や建物の火災の発生などで着座者が緊急避難する場合にも、背板が緊急避難する人の邪魔にならず安全である（請求項１の発明）。
【００２７】
背板を緊急避難用の不使用位置から、後方の机の天板としての使用位置へ戻す場合には、前と逆の操作により、背板を後上方に引くだけでよく、それによって、背板は、両リンク連結杆の下端の枢着点を中心として後方へほぼ平行移動し、元の水平状態に戻される。
背板を、起立状態に戻すには、第２のリンク連結杆の下端と溝部の上部との係止状態を解除すればよく、それによって、第２のリンク連結杆の下端は、溝部を下方に移動して、背板を起立状態に戻すことができる（請求項１の発明）。
【００２８】
請求項２記載の発明のように、背板が起立状態から回動して水平状態となるまでの第１リンク連結杆の後方停止位置と、前記背板が前記水平状態から前方回転した前記第１リンク連結杆の前方停止位置とに、前記第１のリンク連結杆の回動を阻止するストッパをそれぞれ配設すると、背板の水平状態での前後移動を確実に停止させることができる。
【００２９】
請求項３記載の発明のように、第１のリンク連結杆と第２の連結杆とを、平行リンクとすると、背板を水平状態のままで前後移動させることができる。
【００３０】
請求項４記載の発明のように、第２のリンク連結杆の下端部付近に下端部が枢着されるとともに、上端部が背板に枢着され、背板の荷重を軽減させるように作用する弾性手段を設けると、背板を軽力で前後移動させることができ、操作性と安全性が向上する。
【図面の簡単な説明】
【図１】本発明の机兼用椅子の一実施例を、椅子としての使用状態において、その座部と左側の側板とを取り除いて示す斜視図である。
【図２】図１の実施例を、左側の側板を取り除いて示す側面図である。
【図３】机としての使用状態にある図１の実施例を、左側の側板を取り除いて示す側面図である。
【図４】天板を前方に移動した状態を示す図３と同様の図である。
【図５】フレーム本体の支柱の上端付近に取り付けた係止片と支柱の溝部を上方に移動するスライド軸とを示す拡大側面図である。
【図６】スライド軸が係止片を通過する途中の状態を示す図５と同様の図である。
【図７】スライド軸が係止片を通過した後の状態を示す図５と同様の図である。
【符号の説明】
(１)側板
(２)背凭れ
(３)座部
(４)脚部
(５)フレーム本体
(5a)チャンネル部材
(5b)支柱
(5c)ストッパ
(5d)係止部
(６)溝部
(７)スライドアーム（第２のリンク連結杆）
(８)スライド軸
(９)ピン
(10)背板取付ブラケット
(11)背板
(12a)上段の背凭れマット
(12b)中段の背凭れマット
(12c)下段の背凭れマット
(13)アーム（第１のリンク連結杆）
(14)ピン
(15)ピン
(16)ストッパ
(17)ガススプリング
(18)マグネットキャッチ
(19)係止片
(19a)水平片
(19b)垂下片
(20)軸
(21)解除レバー
【図１】
0003799094.tif 000002
【図２】
0003799094.tif 000003
【図３】
0003799094.tif 000004
【図４】
0003799094.tif 000005
【図５】
0003799094.tif 000006
【図６】
0003799094.tif 000007
【図７】
0003799094.tif 000008